(57)【要約】【課題】通水体からの漏水が生じたら、直ちにこれを検出することができる漏水検出装置を提供する。【解決手段】空隙を介して二重に構成されたレーザ光伝達体を有し、管状の通水体の外周に装着される検出部２２を有し、この検出部２２の二重に構成された一方のレーザ光伝達体にはレーザ光発光部２１からレーザ光を供給し、検出部２２の二重に構成された他方のレーザ光伝達体からのレーザ光を受光部２３にて受光し、前記空隙を介したレーザ光の変化から、漏水の有無を検出する。【選択図】図１
2018132330.tif 000002
【特許請求の範囲】
【請求項１】
空隙を介して二重に構成されたレーザ光伝達体を有し、管状の通水体の外周に装着される検出部と、
この検出部の二重に構成された一方のレーザ光伝達体にレーザ光を供給するレーザ光発光部と、
前記検出部の二重に構成された他方のレーザ光伝達体からのレーザ光を受光し、前記空隙を介したレーザ光の変化から、漏水の有無を検出する受光部と、
を備えたことを特徴とする漏水検出装置。
【請求項２】
前記検出部は帯状に形成され、管状の通水体の外周に巻き付けて装着されることを特徴とする請求項１に記載の漏水検出装置。
【請求項３】
前記検出部は環状に形成され、管状の通水体の外周に嵌合させて装着されることを特徴とする請求項１に記載の漏水検出装置。
【請求項４】
前記検出部は、管状の通水体の外周に装着されることで、通水体の振動を抑制する機能を有することを特徴とする請求項１乃至請求項３のいずれか１項に記載の漏水検出装置。
【発明の詳細な説明】
【技術分野】
【０００１】
本発明の実施形態は、水冷装置などに用いられる通水体からの漏水を検出する漏水検出装置に関する。
【背景技術】
【０００２】
船舶や車両などでは、複数のインバータスタックからなる多相のインバータ設備を設け、各インバータスタックから複数の負荷、例えば、コンプレッサやポンプなどの機器を駆動する単相モータなどに電力を供給している。この場合、複数のインバータスタックは、筐体状の盤内に多段積で収容され、インバータ盤を構成している。このようなインバータ設備では、各インバータスタックの発熱を冷却するため、冷却方式として水冷方式が多く採用されている。
【０００３】
水冷方式の場合、冷却水は、供給用の母管から分岐され、各インバータスタックに通じる通水体、例えばフレキシブルホースを通して供給される。フレキシブルホースは、対応するインバータスタックへカプラ部を介して連通接続されている。
【０００４】
ここで、複数のインバータスタックは、筐体状の盤内に多段積で収容されているため、フレキシブルホースの配置構成は複雑となり、また、外部から振動が加わることなどにより、フレキシブルホースが損傷したりカプラ部に緩みが生じたりする。このため、これらの部分から漏水することがある。
【０００５】
漏水が生じると、他のインバータスタックや、他の電気回路部分等に悪影響を与えるおそれがあり、早期に検出することが望まれる。
【０００６】
漏水検出装置については、従来から各種の装置が提案されている。例えば、冷却水を貯留するタンクに水位検出装置を設け、タンク内の水位低下により漏水を検出する方式がある。しかし、この方式では、漏水量が多量の場合は、直ちに水位変化として現れるが、ジワリと浸み出すような漏水に対しては、水位変化が直ちに生じることはなく、検出が困難であった。
【０００７】
また、漏水か想定される部分の床部などに、一対の導電線を有する漏水検知帯と呼ばれる検知手段を配置し、導電線間の絶縁抵抗の低下により漏水の発生を検知する方法や、表面に、吸水により発熱する吸着剤が塗布された光ファイバーを前述の床部等に配設し、漏水を吸着することにより温度変化した光ファイバーを通る散乱光を受光することで漏水を検出する方式などが提案されている。
【先行技術文献】
【特許文献】
【０００８】
【特許文献１】特開平１１−２９９２１９号公報
【特許文献２】特開２０１６−１２１９５８号公報
【発明の概要】
【発明が解決しようとする課題】
【０００９】
しかし、漏水検知帯や光ファイバーを漏水か想定される部分の床部などに配設する方法は、滴下する漏水を捉えて漏水を検出するものであるため、滴下した漏水が漏水検知帯や光ファイバーに達するまで、検知することができない。このため、漏水検出に時間がかってしまう。特に前述した筐体状の盤内に複数のインバータスタックを多段積構成し、これらにフレキシブルホースで冷却水を流す場合は、フレキシブルホースの配置構成が複雑になり、漏水個所によっては、漏水が生じてから検出されるまでに、多くの時間がかかることが想定される。
【００１０】
本発明は、通水体からの漏水が生じたら、直ちにこれを検出することができる漏水検出装置を提供することにある。
【課題を解決するための手段】
【００１１】
本発明の実施の形態に係る漏水検出装置は  空隙を介して二重に構成されたレーザ光伝達体を有し、管状の通水体の外周に装着される検出部と、この検出部の二重に構成された一方のレーザ光伝達体にレーザ光を供給するレーザ光発光部と、前記検出部の二重に構成された他方のレーザ光伝達体からのレーザ光を受光し、前記空隙を介したレーザ光の変化から、漏水の有無を検出する受光部とを備えたことを特徴とする。
【００１２】
上記構成によれば水冷装置の通水体などから漏水が生じても、この通水体の外周に装着された検出部において、レーザ光の変化として直ちに検出することができる。
【図面の簡単な説明】
【００１３】
【図１】本発明の一実施形態に係る漏水検出装置を示す斜視図である。
【図２】一実施形態の検出部を示す断面図である。
【図３】一実施形態における検出部への漏水の侵入過程を説明する図である
【発明を実施するための形態】
【００１４】
以下、本発明の実施の形態について、図面を参照して詳細に説明する。
【００１５】
この実施の形態では、漏水検出装置が適用される一例として、船舶や車両などの機器駆動用電源装置として用いられる水冷式のインバータ設備を説明する。
【００１６】
このようなインバータ設備が設置される例えば船舶では、コンプレッサやポンプなど多数の機器が用いられている。これら多数の機器には駆動用としてそれぞれ単相電動機が設けられている。これら多数の単相電動機へは、多相のインバータ設備を構成する複数のインバータスタックから個別に単相電力が供給される。
【００１７】
このような多相のインバータ設備では、図１で示すように複数のインバータスタック１１を有し、これらは図示しない筐体状の盤内に多段積構成で収容されている。図１では４台のインバータスタック１１を上下２段、２列に配置しているが、規模にもよるが、８台のインバータスタック上下４段２列に配置して筐体内に収容したインバータ盤を、負荷数に応じて複数面設置する場合が多い。
【００１８】
このようなインバータ設備では、各インバータスタック１１の発熱を冷却するため、水冷方式が採られている。この水冷方式は、冷却水供給用の母管１２から多数の通水体（以下、フレキシブルホースとして説明する）１３を分岐し、これらを対応するインバータスタック１１へ配設し、カプラ部１４を介して連通接続している。そして、これら母管１２及びフレキシブルホース１３から各インバータスタック１１に冷却水を流し、これらを冷却している。
【００１９】
次に、上述したインバータ設備の水冷装置に対する漏水検出装置を説明する。この漏水検出装置は、レーザ光発光部２１、レーザ光を伝達可能な検出部２２、及びこの検出部２２からレーザ光を受光する受光部２３を有する
検出部２２は、レーザ光を伝達可能な材質により、図２で示すように、空隙２２ａを介して二重に構成された第１のレーザ光伝達体２２ｂ及び第２のレーザ光伝達体２２ｃを有し、管状を成すフレキシブルホース１３の外周に装着される。
【００２０】
レーザ光発光部２１は、上述した検出部２２の第１のレーザ光伝達体２２ｂと光学的に接続されている。すなわち、レーザ光発光部２１は、検出部２２の二重に構成された一方のレーザ光伝達体２２ｂにレーザ光を供給する。
【００２１】
受光部２３は、検出部２２の第２のレーザ光伝達体２２ｃと光学的に接続されている。すなわち、受光部２３は、検出部２２の二重に構成された他方のレーザ光伝達体２２ｃからのレーザ光を受光する。そして、空隙２２ａを介したレーザ光の変化から、漏水の有無を検出する機能を有する。
【００２２】
ここで、検出部２２としては、空隙２２ａを介して二重に構成された第１のレーザ光伝達体２２ｂ及び第２のレーザ光伝達体２２ｃを帯状に形成し、この帯状の検出部２２を、管状のフレキシブルホース１３の外周に巻き付けて装着する。
【００２３】
或いは、空隙２２ａを介して二重に構成された第１のレーザ光伝達体２２ｂ及び第２のレーザ光伝達体２２ｃを環状に形成して検出部２２とし、その環状の内周円を、管状のフレキシブルホース１３の外周に嵌合させて装着してもよい。
【００２４】
上記構成において、図１で示したように、複数のインバータスタック１１は、多段積構成されており、図示しない筐体状の狭い盤内に収容されているため、フレキシブルホース１３の配置構成は複雑となる。また、船舶や車両などでは、外部から振動が加わることや、  経年変換などにより、フレキシブルホース１３が損傷したりカプラ部１４に緩みが生じたりする。このため、これらの部分から漏水することがある。
【００２５】
漏水した水滴は、図３で示すように検出部２２の空隙２２ａに浸入する。すなわち、漏水してステップ１で示すようにフレキシブルホース１３の外面に付着した水滴２５は、フレキシブルホース１３の表面上を移動し、ステップ２のように検出部２２に付着する。検出部２２に付着した水滴２５は毛細管現象により、ステップ３のように空隙２２ａ内に浸入する。
【００２６】
空隙２２ａには、レーザ光発光部２１からのレーザ光が、第１のレーザ光伝達体２２ｂを経て照射されている。このレーザ光は第２のレーザ光伝達体２２ｃで受光され、さらに、この第２のレーザ光伝達体２２ｃを経て受光部２３にて受光される。このとき、空隙２２ａ内には漏水による水滴が浸入しているため、空隙２２ａ内に水滴２５が無い場合とはレーザ光の散乱状態が変化し、受光量の差となって現れる。受光部２３には、空隙２２ａに水滴が浸入した場合と水滴が無い場合とを区別するレーザ光量の閾値が設定されており、空隙２２ａに水滴が浸入していること、すなわち、漏水があったことを検出することができる。
【００２７】
このように、フレキシブルホース１３又はそのカプラ部１４から漏水が生じると、フレキシブルホース１３の外周に、巻き付けや嵌合により装着した検出部２２により、レーザ光の変化として捉えることができ、漏水を早期に、かつ確実に検出することができる。
【００２８】
また、帯状或いは環状の検出部２２を、フレキシブルホース１３の外周に巻き付けや嵌合により装着したことで、外部からの振動に基づくフレキシブルホース１３自体のの振動を抑制することができる。このため、フレキシブルホース１３からカプラ部１４に加わるストレスを低減でき、その結果、漏水の発生を低減できる。
【００２９】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００３０】
１１…インバータスタック
１２…母管
１３…通水体
１４…カプラ部
２１…レーザ光発光部
２２…検出部
２２ａ…空隙
２２ｂ…第１のレーザ光伝達体
２２ｃ…第２のレーザ光伝達体
２３…受光部
２５…水滴
【図１】
2018132330.tif 000003
【図２】
2018132330.tif 000004
【図３】
2018132330.tif 000005